(57)【要約】【課題】頭の上部や顔の下部を容易に確認することが可能で、縦型三面鏡としても使用できる補助三面鏡の付いたミラーキャビネットの構造を提供する。【解決手段】補助三面鏡１を備えたミラーキャビネットＡであって、該補助三面鏡１は主鏡部２の下方に設けられ、且つ、該補助三面鏡は中央鏡１１とこの中央鏡の左右にヒンジ結合される左側鏡１２と右側鏡１３とからなるとともに、ミラーキャビネットＡに引出・押入自在、かつ、回転自在に取り付けられたミラーキャビネットの構造。好ましくは、上記主鏡部２が正面鏡２１と、この正面鏡の左右にヒンジ結合された左側面鏡２２と右側面鏡２３とからなる三面鏡とされる。【選択図】図５
2008131987.tif 000002
【特許請求の範囲】
【請求項１】
補助三面鏡を備えたミラーキャビネットであって、該補助三面鏡は主鏡部の下方に設けられ、且つ、該補助三面鏡は中央鏡とこの中央鏡の左右にヒンジ結合される左側鏡と右側鏡とからなるとともに、ミラーキャビネットに引出・押入自在、かつ、回転自在に取り付けられたミラーキャビネットの構造。
【請求項２】
上記主鏡部が正面鏡と、この正面鏡の左右にヒンジ結合された左側面鏡と右側面鏡とからなる三面鏡である請求項１に記載のミラーキャビネットの構造。
【請求項３】
上記主鏡部と補助三面鏡とが面積比で略２：１である請求項２に記載のミラーキャビネットの構造。
【発明の詳細な説明】
【技術分野】
【０００１】
本発明は、ミラーキャビネットに関する。さらに詳しくは、洗面化粧台に取り付けられるミラーキャビネットの構造に関する。
【背景技術】
【０００２】
従来、洗面化粧台のミラーキャビネットには一面鏡付きと三面鏡付きとがあり、三面鏡付きタイプは中央に設けられる主鏡と左右に設けられる側鏡とからなっている。そして左右側鏡によって顔の左右を確認できるとともに、左右側鏡の裏面には化粧道具や洗面用小物類の収納棚が配置され、左右側鏡自体は該収納棚の蓋体としても機能するミラーキャビネットが知られている。
【０００３】
ところで、近年、白髪染めのみならず、各種の色に髪を染めることが多く、また、男女とも中年を越えるとかつらやヘアピースの使用者が増え、これらを着用する場合には、頭の上部を確認する必要がある。また、男性のひげ剃りの場合、顔の下部の剃り残しを確認することが多いが、上記の三面鏡では頭頂部や顎の下部を確認することが困難であり、従来、例えば、手鏡を使って無理な体勢で合わせ鏡をして上記の確認をしていた。
【０００４】
そこで、下記特許文献１には、その第１図、第２図に示されているように、従来の洗面化粧台の横に別途設置する縦型三面鏡が提案されている。上記各図に図示されているように、この縦型三面鏡は上部鏡と中部鏡と下部鏡とから構成され、上部鏡と下部鏡のうち一方の鏡のみを手前に折り曲げ操作するだけで、連動機構を介して上部鏡と下部鏡の両方を使用者側に折り曲げ動作ができ、頭の上部や顔の下部を容易に見ることができるように構成されている。
【特許文献１】特開２００５−２８７５４０号公報（第１〜３頁、第１図、第２図）
【発明の開示】
【発明が解決しようとする課題】
【０００５】
しかしながら、上記特許文献１に記載の縦型三面鏡は、収納棚を兼ねたキャビネットの前面に取り付けられ、使用する際は、キャビネット全体を一旦引き出し、さらに縦型三面鏡を手前に回動した後、折り曲げ動作する必要があり、また、使用者は、使用の都度身体の向きを変えなければならないという不便がある。
【０００６】
本発明はこのような問題を解決して、別途キャビネットを設けることなく、また、複雑な連動機構を備えることなく、簡単に、頭の上部や顔の下部を確認することができる補助三面鏡の付いたミラーキャビネットの構造を提供することを、その課題とする。
【課題を解決するための手段】
【０００７】
上記課題を解決するために、本発明においては、つぎのような技術的手段を講じている。すなわち、請求項１に記載の発明によれば、補助三面鏡を備えたミラーキャビネットであって、該補助三面鏡は主鏡部の下方に設けられ、且つ、該補助三面鏡は中央鏡とこの中央鏡の左右にヒンジ結合される左側鏡と右側鏡とからなるとともに、ミラーキャビネットに引出・押入自在、かつ、回転自在に取り付けられたミラーキャビネットの構造が提供される。
【０００８】
上記ミラーキャビネットのミラーの裏面は、通常、洗面用、化粧用等の小物類の収納部とされ、ミラーキャビネットを構成する箱体を区分して用いることが多い。そこで、上記補助三面鏡は、箱体内部を区分する枠体に軸体ないしは棒体を介して引出・押入自在、かつ、回転自在に取り付けられることが好ましい。また、上記左側鏡と右側鏡とは、通常は、上記収納部の下段を覆う蓋体として機能する。
【０００９】
請求項２に記載のミラーキャビネットの構造は、請求項１に記載の発明に加えて、上記主鏡部が正面鏡と、この正面鏡の左右にヒンジ結合された左側面鏡と右側面鏡とからなる三面鏡であることが好ましい。上記主鏡部は、一面鏡または三面鏡とすることができるが、顔全体、あるいは上半身を左右、正面から見ることのできる三面鏡が好ましく用いられる。
【００１０】
請求項３に記載のミラーキャビネットの構造は、請求項２に記載の発明に加えて、上記主鏡部と補助三面鏡との面積比は、とくに限定されないが、主鏡部と補助三面鏡との面積比とを略２：１とすることが好ましい。
【発明の効果】
【００１１】
請求項１に記載の発明にかかるミラーキャビネットの構造は上記のとおりであり、主鏡部の下方に設けられる補助三面鏡が、中央鏡とこの中央鏡の左右にヒンジ結合される左側鏡と右側鏡とからなるとともに、ミラーキャビネットに引出・押入自在に取り付けられているため、補助三面鏡全体を手前に引き出し、目元、口元等の部分化粧やコンタクトレンズの装着、取り外し等を容易に行うことができる。また、使用を終わった後は押入し、元の位置に簡単に戻すことができる。
【００１２】
さらに、回転自在に設けられているため、補助三面鏡全体を手前に引き出すとともに、中央鏡を中心として略９０度回転させることにより、左側鏡（右側鏡）が上部鏡に、右側鏡（左側鏡）が下部鏡となり、それぞれ、折れ曲げ角度を任意に調整して、手鏡を用いることなく、縦型三面鏡として頭頂部や顎の下等を容易に確認することができる。
【００１３】
請求項２に記載のミラーキャビネットの構造は上記のとおりであり、請求項１のミラーキャビネットの構造の有する効果に加え、上記主鏡部を、正面鏡とこの正面鏡の左右にヒンジ結合された左側面鏡と右側面鏡とからなる三面鏡とすることにより、主鏡部と補助三面鏡とを合一して全体を三面鏡とすることにより、顔全体、あるいは上半身を左右、正面から確認でき、また、補助三面鏡のみで目元、口元等の部分的な化粧やコンタクトレンズの装着、取り外し等を容易に行うことができる。
【００１４】
請求項３に記載のミラーキャビネットの構造は上記のとおりであり、請求項２のミラーキャビネットの構造の有する効果に加え、上記主鏡部と補助三面鏡とを面積比で略２：１とすることにより、ミラー全体を使用する場合と、補助三面鏡のみを使用する場合とに、バランスよく分けて使用することができる。
【発明を実施するための最良の形態】
【００１５】
以下、本発明の実施形態について図面を参照して詳細に説明する。図１は、主鏡部２の下方に、補助三面鏡１を備え、該主鏡部２と補助三面鏡１とを面積比で略２：１とした本発明にかかるミラーキャビネットの構造を示す斜視図である。図１に示すように、上記補助三面鏡１は、中央鏡１１とこの中央鏡１１の左右にヒンジ結合される左側鏡１２と右側鏡１３とからなるとともに、その上方に、主鏡部２として三面鏡を備えている。
【００１６】
図１に示されるように、主鏡部２は、正面鏡２１と、この正面鏡２１の左右にヒンジ結合された左側面鏡２２と右側面鏡２３とから構成されている。また、上記本発明にかかるミラーキャビネットＡは、洗面ボウル３を備えた洗面キャビネットＢと組み合わされ、全体として洗面化粧台を構成する。
【００１７】
上記主鏡部２は、通常の三面鏡として使用され、補助三面鏡１は主鏡部２とは独立して、図２に示すように、左側鏡１２と右側鏡１３とを手前に回動して使用できる。このようにすることにより、目元、口元等の部分化粧を容易に、念入りに行うことができる。
【００１８】
また、図３に示すように、補助三面鏡１全体を手前に引き出して使用することも可能である。すなわち、中央鏡１１の裏面に引き出し軸４を設け、ミラーキャビネットＡを構成する箱体を内部で区分する枠体５に、補助三面鏡１を引出・押入自在に取り付けることにより、目元、口元等に近付け、これらの部分化粧を念入りに、また、コンタクトレンズの装着、取り外し等を容易に行うことができる。
【００１９】
さらに、上記補助三面鏡１は手前に引き出した状態で、回転自在に引き出し軸４を介して上記枠体５に取り付けられている。図４は、上記補助三面鏡１を引き出し、中央鏡１１を中心にして略９０度回転させた状態を示す斜視図である。図４においては、補助三面鏡１の左側鏡１２が上部鏡として、右側鏡１３が下部鏡として用いられているが、右側鏡１３を上部鏡として、左側鏡１２を下部鏡として用いてもよい。
【００２０】
図４において、上部鏡を手前下方に、下部鏡を手前上方に回動させることにより、図５に示す縦型三面鏡として使用できる。図５に示す状態においては、左側鏡１２が上部鏡に、右側鏡１３が下部鏡となり、それぞれ、折れ曲げ角度を任意に調整できるため、縦型三面鏡として、手鏡を用いることなく、頭頂部や顎の下等を容易に確認することができる。その結果、ヘアピース等の着用を容易に行うことが可能となり、また、男性の顎の下のひげ剃りの剃り残しの確認等を容易に行うことができる。
【００２１】
上記のようにして使用した後は、補助三面鏡１を略９０度回転して元の位置に戻し、押入して図１に示す状態とし、主鏡部２と補助三面鏡１とを合一して通常のミラーとして使用すればよい。なお、本実施形態においては、主鏡部２と補助三面鏡１とは面積比で略２：１としたが、これに限られることはない。例えば、３：１としてもよい。このように、本発明は種々設計変更自在であり、特許請求の範囲を逸脱しない限り、いずれも本発明の技術的範囲に属する。
【図面の簡単な説明】
【００２２】
【図１】本発明にかかるミラーキャビネットの構造を示す斜視図である。
【図２】補助三面鏡を独立して使用する状態を示す斜視図である。
【図３】補助三面鏡を手前に引き出して使用する状態を示す斜視図である。
【図４】補助三面鏡を手前に引き出すとともに、略９０度回転させた状態を示す斜視図である。
【図５】補助三面鏡を縦型三面鏡として用いる状態を示す斜視図である。
【符号の説明】
【００２３】
Ａ          本発明にかかるミラーキャビネット
Ｂ          洗面キャビネット
１          補助三面鏡
１１        中央鏡
１２        左側鏡
１３        右側鏡
２          主鏡部
２１        正面鏡
２２        左側面鏡
２３        右側面鏡
３          洗面ボウル
４          引き出し軸
５          枠体
【図１】
2008131987.tif 000003
【図２】
2008131987.tif 000004
【図３】
2008131987.tif 000005
【図４】
2008131987.tif 000006
【図５】
2008131987.tif 000007